(57)【要約】【課題】シンプルな機構で、ディスクカートリッジのシャッターをスムーズに開放する。【解決手段】ディスクカートリッジ１をローディング装置のカートリッジホルダー２５内に挿入する際に、インナーローター２のロック解除用スライダー３２でインナーローター２のロックを解除し、そのままロック解除用スライダー３２を引張りコイルバネ３５に抗してでスカートリッジ１で押し動かしながら、インナーローター２の被係合部９に屈曲アームで構成されたシャッター開閉用アーム３８の先端の係合部４０を係合させて、その係合部４０をディスクカートリッジ１で押すことにより、そのシャッター開閉用アーム３８を捩りコイルバネ４１に抗して自動的に回転駆動し、その係合部４０でインナーローター２を自動的に回転駆動して、ディスクカートリッジ１の底部開口５を開放されるディスクカートリッジのローディング装置。【選択図】図５
2006031834.tif 000002
【特許請求の範囲】
【請求項１】
記録及び／又は再生用のディスクが内部に収納され、底部にスピンドルモーターのターンテーブルと記録及び／又は再生手段の挿入用の底部開口が形成され、該底部開口を開閉するシャッターを回転方式で開閉駆動するシャッター開閉用回転体が収納され、該シャッター開閉用回転体を閉位置でロックするロック手段が設けられたディスクカートリッジのローディング装置において、
前記ディスクカートリッジが挿入された後、該ディスクカートリッジを挿入方向に対する直交方向へ移動させることにより前記ターンテーブル及び前記記録及び／又は再生手段を前記底部開口内に相対的に挿入して、内部のディスクを該ターンテーブル上にチャッキングするカートリッジホルダーと、
前記ディスクカートリッジに設けられて、前記シャッター開閉用回転体を閉位置でロックするロック手段と、
前記カートリッジホルダーにスライド自在に取り付けられたロック解除手段及び該ロック解除手段の原位置へのスライド付勢手段であって、前記ディスクカートリッジが前記カートリッジホルダー内に挿入される際に、前記ロック解除手段が相対的に前記ロック手段に係合して前記シャッター開閉用回転体の閉位置でロックを解除した後、該ロック解除手段が前記ディスクカートリッジと一緒に前記スライド付勢手段に抗してスライドされるロック解除手段及びスライド付勢手段と、
前記カートリッジホルダーの一側部に設けられた回転支点を中心に前記ディスクカートリッジの底部と平行に回転され、先端に前記シャッター開閉用回転体の外周の被係合部に係合される係合部が設けられ、かつ、回転付勢手段によって原位置へ回転付勢されているシャッター開閉用アームであって、前記ディスクカートリッジが前記カートリッジホルダー内に挿入される際に、シャッター開閉用回転体のロック解除に引き続いて、先端の前記係合部を前記シャッター開閉用回転体の前記被係合部に相対的に係合させ、該ディスクカートリッジの引き続きの挿入動作に追従して該シャッター開閉用アームを前記回転付勢手段に抗して前記回転支点を中心に閉位置から開位置へ回転駆動させることにより、前記シャッター開閉用回転体を回転駆動して、前記シャッターを回転駆動して前記底部開口を開放するように構成されたシャッター開閉用アームとを備えた
ことを特徴とするディスクカートリッジのローディング装置。
【請求項２】
前記シャッター開閉用アームの長さ方向の中間に屈曲部が設けられ、
該屈曲部が前記ディスクがチャッキングされるスピンドルモーターに対する逃げ部に構成されている
ことを特徴とする請求項１に記載のディスクカートリッジのローディング装置。
【請求項３】
前記シャッター開閉用回転体が薄型のローターに構成され、
該シャッター開閉用回転体内に前記ディスクが収納されている
ことを特徴とする請求項１に記載のディスクカートリッジのローディング装置。
【請求項４】
前記シャッター開閉用回転体の底部と少なくとも１枚のシャッターによって前記カートリッジホルダーの底部開口を開閉するように構成されている
ことを特徴とする請求項３に記載のディスクカートリッジのローディング装置。
【発明の詳細な説明】
【技術分野】
【０００１】
本発明は、ＤＶＤ等の記録及び／又は再生用のディスクが内部に収納されたディスクカートリッジをカートリッジホルダー内に挿入してローディングするディスクカートリッジのローディング装置に関するものである。
【背景技術】
【０００２】
従来から、ディスクカートリッジをカートリッジホルダー内に挿入することにより、シャッター開閉レバーによって該ディスクカートリッジのシャッターを開放するように構成された各種のディスクカートリッジのローディング装置が知られている。
【特許文献１】Ｗ０９７／２７５８６号公報
【特許文献２】特開平０６−２０３４５０号公報
【特許文献３】特公平０２−３７６２６号公報
【特許文献４】特公平０４−３２４６４号公報
【特許文献５】特公平０５−６５９４６号公報
【特許文献６】特公平０６−４０４１３号公報
【特許文献７】特開昭６２−９９５３号公報
【特許文献８】特開２０００−３５７３５７号公報
【発明の開示】
【発明が解決しようとする課題】
【０００３】
しかし、従来のディスクカートリッジのローディング装置にあって、シャッターを閉位置でロックするロック機構を備えたディスクカートリッジを使用するものにおいて、ディスクカートリッジをカートリッジホルダー内に挿入する際に、シャッターのロック解除と、該シャッターの開放とをシンプルな機構で、スムーズに行えるようにしたものは未だ開発されていない。
【課題を解決するための手段】
【０００４】
本発明は、シャッターを閉位置でロックするロック手段を備えたディスクカートリッジをローディングするディスクカートリッジのローディング装置において、ディスクカートリッジをカートリッジホルダー内に挿入する際に、そのロック手段のロック解除動作と、シャッターの開放動作とをシンプルな機構で、スムーズに行えるようにするために、記録及び／又は再生用のディスクが内部に収納され、底部にスピンドルモーターのターンテーブルと記録及び／又は再生手段の挿入用の底部開口が形成され、該底部開口を開閉するシャッターを回転方式で開閉駆動するシャッター開閉用回転体が収納され、該シャッター開閉用回転体を閉位置でロックするロック手段が設けられたディスクカートリッジのローディング装置において、前記ディスクカートリッジが挿入された後、該ディスクカートリッジを挿入方向に対する直交方向へ移動させることにより前記ターンテーブル及び前記記録及び／又は再生手段を前記底部開口内に相対的に挿入して、内部のディスクを該ターンテーブル上にチャッキングするカートリッジホルダーと、前記ディスクカートリッジに設けられて、前記シャッター開閉用回転体を閉位置でロックするロック手段と、前記カートリッジホルダーにスライド自在に取り付けられたロック解除手段及び該ロック解除手段の原位置へのスライド付勢手段であって、前記ディスクカートリッジが前記カートリッジホルダー内に挿入される際に、前記ロック解除手段が相対的に前記ロック手段に係合して前記シャッター開閉用回転体の閉位置でロックを解除した後、該ロック解除手段が前記ディスクカートリッジと一緒にスライドされる前記スライド付勢手段に抗してロック解除手段及びスライド付勢手段と、前記カートリッジホルダーの一側部に設けられた回転支点を中心に前記ディスクカートリッジの底部と平行に回転され、先端に前記シャッター開閉用回転体の外周の被係合部に係合される係合部が設けられ、かつ、回転付勢手段によって原位置へ回転付勢されているシャッター開閉用アームであって、前記ディスクカートリッジが前記カートリッジホルダー内に挿入される際に、前記シャッター開閉用回転体のロック解除に引き続いて、先端の前記係合部を前記シャッター開閉用回転体の前記被係合部に相対的に係合させ、該ディスクカートリッジの引き続きの挿入動作に追従して該シャッター開閉用アームを前記回転付勢手段に抗して前記回転支点を中心に閉位置から開位置へ回転駆動させることにより、前記シャッター開閉用回転体を回転駆動して、前記シャッターを回転駆動して前記底部開口を開放するように構成されたシャッター開閉用アームとを備えたものである。
【発明の効果】
【０００５】
本発明のディスクカートリッジのローディング装置は、ディスクカートリッジをカートリッジホルダー内に挿入する際に、最初に、ロック解除手段をディスクカートリッジのロック手段に相対的に係合させて、シャッター開閉用回転体の閉位置でのロックを解除した後、該ロック解除手段をスライド付勢手段に抗してディスクカートリッジと一緒にスライドさせる。そして、これに追従させるようにして、シャッター開閉用アームの先端の係合部をシャッター開閉用回転体の被係合部に相対的に係合させると共に、該シャッター開閉用アームの先端をディスクカートリッジで押すことにより、該シャッター開閉用アームを回転支点を中心に回転付勢手段に抗して閉位置から開位置へ回転させるようにして、シャッター開閉用回転体を閉位置から開位置へ回転させてシャッターを開き、ディスクカートリッジの底部開口を開放させるので、シンプルな機構で、ディスクカートリッジのシャッターをスムーズに開放することができ、ローコストで、信頼性の高いディスクカートリッジのローディング装置を提供することができる。
【発明を実施するための最良の形態】
【０００６】
シャッター開閉用アームの長さ方向の中間に屈曲部を設け、該屈曲部をスピンドルモーターに対する逃げ部に構成すれば、ディスクカートリッジのローディング装置の省スペース化による小型化を実現できる。
【０００７】
シャッター開閉用回転体を薄型のローターに構成して、その内部にディスクを収納すれば、シャッター開閉用アームでローターをスムーズに回転駆動することができて、シャッターの開閉動作をスムーズに行える。
【０００８】
シャッター開閉用回転体の底部と少なくとも１枚のシャッターによってディスクカートリッジの底部開口を開閉するように構成すれば、シャッターのスムーズな開閉と部品点数の削減を実現できる。
【実施例１】
【０００９】
以下、本発明を適用したディスクカートリッジのローディング装置の実施例を説明する。
［ディスクカートリッジの説明］
【００１０】
図９〜図１１によって、ディスクカートリッジを説明する。
このディスクカートリッジ１は、合成樹脂等にて成形された上下シェルによって薄型に組立てられていて、平面形状がほぼ方形状に形成されている。なお、このディスクカートリッジ１の先端１ａはほぼ円弧状に形成され、後端１ｂと左右両側１ｃ、１ｄはそれぞれほぼ直線状に形成されている。また、底部１ｅはフラットに形成され、上面の中央部には平面形状がほぼＵ字状の隆起部１ｆが形成されている。
そして、このディスクカートリッジ１内にはシャッター開閉用回転体である薄型で、円形の盆形状のローターであるインナーローター２が回転自在に水平状に収納されていて、このインナーローター２内にＤＶＤ等の記録及び／又は再生用のディスク３が回転自在及び上下動自在に水平に収納されている。
【００１１】
そして、このディスクカートリッジ１の先端１ａのほぼ中央部には横長形状の先端開口４が形成されていて、この先端開口４は先端１ａの厚み方向の下側で、下方から約２／３の領域に亘って形成されている。従って、この先端開口４にはインナーローター２の一部が露呈されている。また、このディスクカートリッジ１の底部２ａには先端開口４の下端からこのディスクカートリッジ１のほぼ中央部にかけてほぼＵ字形状の底部５が形成されている。従って、この底部開口５の先端は先端開口４の下端に接続された状態に開放されている。そして、インナーローター２の底部２ａの一部にも上記の底部開口５とほぼ同形状で、同寸法のローター開口６が形成されている。そして、ディスクカートリッジ１の底部１ｅとインナーローター２の底部２ａとの間に薄板からなる複数枚、例えば２枚のシャッター８が水平状に組み込まれていて、インナーローター２の底部２ａのローター開口６に隣接する一部もシャッターに兼用されている。
【００１２】
そして、図１０及び図１１に示すように、インナーローター２は閉位置Ｐ１と開位置Ｐ２との間で所定の角度（例えば、ほぼ６０°）内で閉方向（矢印ａ方向）と開方向（矢印ｂ方向）に回転自在に構成されていて、２枚のシャッター７、８は図示省略した回転構造及び連動構造によってディスクカートリッジ１の底部１ｅの内部に回転自在に枢支されると共に、インナーローター２の底部２ａに係合されている。
そして、図１０に示すように、インナーローター２が閉位置Ｐ１へ矢印ａ方向に回転復帰されることによって、インナーローター２のローター開口６がディスクカートリッジ１の底部開口５に対して所定角度にずれると共に、２枚のシャッター７、８が底部開口５内に矢印ｃ、ｄ方向から入り込んで突き合わされ、これら２枚のシャッター７、８と底部２ａの一部によってディスクカートリッジ１の底部開口５が閉塞されるように構成されている。
【００１３】
また、図１１に示すように、インナーローター２が閉位置Ｐ１から開位置Ｐ２へ矢印ｂ方向に回転されることによって、インナーローター２のローター開口６がディスクカートリッジ１の底部開口５上に重ねられると共に、２枚のシャッター７、８が底部開口５の左右両側方へ矢印ｅ、ｆ方向に逃げて、その底部開口５が開放されるように構成されている。
そして、インナーローター２の外周２ｂの一部で、ディスクカートリッジ１の先端開口４内に露出されている部分に、凹形状の被係合部９が形成されていて、後述するローディング装置２１のシャッター開閉用アーム３８の先端の係合部４０が係合されて、この被係合部９がシャッター開閉用アーム３８によって矢印ａ、ｂ方向に回転操作されることによって、インナーローター２が閉位置Ｐ１と開位置Ｐ２との間で矢印ａ、ｂ方向に開閉（回転）操作されるように構成されている。
【００１４】
なお、図１０及び図１１に示すように、ディスクカートリッジ１内で、先端１ａの一側部には小型のロックレバー１０が回転支点１１を中心に矢印ｇ、ｈ方向に回転自在に組み込まれている。そして、このロックレバー１０は図示省略した捩りコイルバネ等の回転付勢手段によってロック方向である矢印ｇ方向に回転付勢されていて、図１０に示すように、インナーローター２が閉位置Ｐ１まで矢印ａ方向に回転復帰された瞬間に、このロックレバー１０が回転付勢手段によって矢印ｇ方向（ロック方向）に回転して、インナーローター２の外周の一部に形成されている溝や突起等の被ロック部１２に係合されて、このインナーローター２を閉位置Ｐ１にロックする。一方、このロックレバー１０の操作部１０ａが回転付勢手段に抗して矢印ｈ方向（ロック解除方向）へ回転操作されると、このロックレバー１０がインナーローター２の被ロック部１２から離脱されて、インナーローター２がディスクカートリッジ１内で矢印ａ、ｂ方向に自由に回転できるように構成されている。
そして、このロックレバー１０の操作部１０ａはディスクカートリッジ１の先端１ａの左右両端近傍位置に左右対称状に形成された左右一対の切欠き１３、１４のうちの一方の切欠き１３内で、矢印ｇ、ｈ方向に回転できるように構成されている。
なお、ディスクカートリッジ１の左右両側１ｃ、１ｄには、左右一対のガイド溝１５、１６等が形成されている。
［ローディング装置の説明］
【００１５】
図１〜図８によって、ローディング装置を説明する。
このローディング装置２１は、ベース２２の左右両側に左右一対のガイド板２３が垂直状に取り付けられていて、その左右一対のガイド板２３の内側に左右一対の昇降駆動板２４が垂直状に配置され、その左右一対の昇降駆動板２４間にカートリッジホルダー２５が水平状に配置されている。なお、カートリッジホルダー２５は天板２５ａと、その天板２５ａの左右両側端から下方へ折り曲げられた左右両側板２５ｂと、その左右両側板２５ｂの下端から内側へ水平に折り曲げられた左右一対の小幅の底板２５ｃとによって構成されている。
【００１６】
そして、カートリッジホルダー２５の左右両側板２５ｂの外側で、前後２箇所に水平状に取り付けられた前後各一対のカム従動ピン（ガイドローラ）２６が左右一対の昇降駆動板２４の前後２箇所に形成された前後各一対の昇降駆動用カム溝２７内をを水平に貫通して左右一対のガイド板２３の前後２箇所に垂直状に形成されたガイドピン逃げ溝２８内に遊嵌されている。また、カートリッジホルダー２５の左右両側板２５ｂの前後方向の中間部の外側に水平状に取り付けられた左右一対のガイドピン（ガイドローラ）２９が左右一対のガイド板２３の前後方向の中間部に垂直状に形成された左右一対の昇降ガイド溝３０内に遊嵌されている。
そして、図１（図２）及び図３に示すように、左右一対の昇降駆動板２４が図示省略されたダウン用のバネとイジェクトレバーとによって同時に前後方向である矢印ｉ、ｊ方向にスライド駆動されることによって、合計２個のガイドピン２９と昇降ガイド溝３０によってカートリッジホルダー２５の前後方向（矢印ｉ、ｊ方向）の移動を規制して、合計４個のカム従動ピン２６と昇降駆動用カム溝２７によるカム機構によってカートリッジホルダー２５が水平状態を維持しつつ、上昇位置Ｐ４と下降位置Ｐ５との間で矢印ｋ、ｍ方向に昇降（平行運動）駆動される昇降駆動機構３１が構成されている。なお、左右一対の昇降駆動板２４を駆動モータを用いて矢印ｉ、ｊ方向スライド駆動することも可能である。
【００１７】
そして、カートリッジホルダー２５の天板２５ａの一側部の上部にロック解除手段であるロック解除用スライダー３２が一対のガイド溝３４とガイドピン３５で案内されて前後方向である矢印ｎ、ｏ方向にスライド自在に取り付けられている。そして、このロック解除用スライダー３２はカートリッジホルダー２５の天板２５ａの前端部側に取り付けられたスライド付勢手段である引張りコイルバネ３５によって矢印ｎ方向の原位置Ｐ６へスライド付勢されている。
そして、このロック解除用スライダー３２の内側縁から下方へ垂直状に折り曲げられた小突片であるロック解除部３２ａが天板２５ａに形成された開口部３６の下方に突出されている。
【００１８】
また、カートリッジホルダー２５の一側部（ロック解除用スライダー３２が取り付けられている側位置）で、底板２５ｃの下部にシャッター開閉用アーム３８が回転支点３９の周りに図４に示す原位置Ｐ８と図５に示す回転位置Ｐ９との間で水平方向である矢印ｏ、ｐ方向に回転自在に取り付けられている。そして、このシャッター開閉用アーム３８の先端３８ａの上部には小さいローラで構成された垂直状の係合部４０が回転自在に取り付けられている。
そして、このシャッター開閉用アーム３８はほぼブーメラン形状に屈曲されていて、長さ方向の中間にはほぼＶ字状の屈曲部３８ｂが形成されている。また、このシャッター開閉用アーム３８は回転位置Ｐ９から図４に示す原位置Ｐ８まで回転付勢手段である捩りコイルバネ４１によって矢印ｏ方向に回転付勢されている。
【００１９】
なお、ベース２２上のほぼ中央部にはスピンドルモーター４３が垂直状に取り付けられていて、そのスピンドルモーター４３の上端にはスピンドル４３ａと一体のターンテーブル４４が水平状に配置されている。
そして、図１及び図４に示すように、シャッター開閉用アーム３８が捩りコイルバネ４１によって原位置Ｐ８まで矢印ｏ方向に回転復帰されて図示省略したストッパーで停止された状態では、そのシャッター開閉用アーム３８が中間部の屈曲部３８ｂによってスピンドルモーター４３に対して逃げることができて、省スペース化による小型化が実現されている。
［ローディング装置の動作説明］
【００２０】
ここで、ローディング装置２１の各動作について説明する。
まず、ディスクカートリッジ１の使用前の状態では、図１０に示すように、インナーローター２の被係合部９が閉位置Ｐ１まで矢印ａ方向に回転されて、ロックレバー１０によってインナーローター２がロックされ、底部開口５が２枚のシャッター７、８とインナーローター２の底部２ａの一部で閉塞されている。
一方、図１及び図７に示すように、ローディング装置２１のカートリッジホルダー２５は昇降駆動機構３１によって上昇位置Ｐ４まで矢印ｋ方向に上昇されている。
【００２１】
そこで、図１及び図７に示すように、ディスクカートリッジ１をその先端１ａ側からローディング装置２１のカートリッジホルダー２５内に矢印ｒ方向から水平に挿入すると、図１０に１点鎖線で示すように、ロック解除用スライダー３２のロック解除部３２ａがディスクカートリッジ１の一方の切欠き１３内に矢印ｓ方向から相対的に挿入されて、そのロック解除部３２ａがロックレバー１０の操作部１０ａを矢印ｓ方向に押す。
すると、ディスクカートリッジ１のロックレバー１０が回転支点１１を中心に回転付勢用の捩りコイルバネ（図示せず）に抗して矢印ｈ方向に回転されて、インナーローター２の被ロックから外されて、そのインナーローター２のロックが解除される。
【００２２】
一方、ディスクカートリッジ１はそのままカートリッジホルダー２５内に矢印ｒ方向に挿入されるが、その際、ロック解除用スライダー３２がそのディスクカートリッジ１によって矢印ｒ方向に押されて、ガイド溝３３及びガイドピン３４で案内されながらカートリッジホルダー２５の天板２５ａ上を引張りコイルバネ３５に抗して図１に示す原位置Ｐ６から図２に示すスライド位置Ｐ７まで矢印ｏ方向へスライド駆動される。
【００２３】
そして、図１、図４、図６及び図１０に示すように、ディスクカートリッジ１のインナーローター２のロックが解除されるのとほぼ同時又は直後に、シャッター開閉用アーム３８の先端３８ａの係合部４０がディスクカートリッジ１の被係合部９内に矢印ｔ方向から相対的に挿入されて係合される。
そして、ディスクカートリッジ１がそのままカートリッジホルダー２５内に矢印ｒ方向に挿入されることによって、そのディスクカートリッジ１によってシャッター開閉用アーム３８の先端３８ａが矢印ｒ方向に押されることによって、そのシャッター開閉用アーム３８が回転支点３９を中心に捩りコイルバネ４１に抗して矢印ｐ方向へ回転駆動される。
【００２４】
そして、ディスクカートリッジ１が図１及び図４に示す挿入位置から図２及び図５に示す挿入完了位置まで矢印ｒ方向へ挿入される間に、シャッター開閉用アーム３８が回転支点３９を中心に捩りコイルバネ４１に抗して図４に示す原位置Ｐ８から図５に示す開位置Ｐ９まで矢印ｐ方向へ回転駆動される。
すると、シャッター開閉用アーム３８の係合部４０によってディスクカートリッジ１のインナーローター２の被係合部９が矢印ｂ方向にスムーズに回転駆動されて、インナーローター２が図１０に示す閉位置Ｐ１から図１１に示す開位置Ｐ２まで矢印ｂ方向に自動的に、かつ、スムーズに回転駆動され、そのディスクカートリッジ１の底部開口５が自動的に開放される。
【００２５】
そして、図２及び図５に示すように、ディスクカートリッジ１がカートリッジホルダー２５内の挿入完了位置まで矢印ｒ方向に挿入完了された時に、そのディスクカートリッジ１が図示省略したロック手段によってカートリッジホルダー２５内にロックされると共に、図示省略した検出スイッチによってディスクカートリッジ１の挿入完了が検出され、図示省略されたダウン用のバネによって左右一対の昇降駆動板２４が図１及び図２に示す上昇位置Ｐ１０から図３に示す下降位置Ｐ１１まで矢印ｊ方向に同時にスライド駆動されて、カートリッジホルダー２５が図２及び図７に示す上昇位置Ｐ４から図３及び図８に示す下降位置Ｐ５まで矢印ｍ方向に水平に下降される。
【００２６】
そして、スピンドルモーター４３のターンテーブル４４がディスクカートリッジ１の底部開口５に下方から相対的に挿入されて、ディスクカートリッジ１のインナーローター２内のディスク３が中心穴３ａによってターンテーブル４３上にセンターリングされてチャッキングされる。そして、ディスク３がインナーローター２内で上下方向のほぼ中間位置（非接触位置）まで浮上（押し上げられること）されて、ディスクカートリッジ１のローディング動作が終了する。
また、このディスクカートリッジ１のローディング完了により、図示省略した光学ピックアップ等の記録及び／又は再生手段がディスクカートリッジ１の底部開口５内に挿入又は近接されて、ディスク３の下面に近接される。
そして、スピンドルモーター４３によってディスク３が回転駆動され、記録及び／又は再生手段によってディスク３にデータの記録及び／又は再生が行われることになる。
【００２７】
なお、ディスクカートリッジ１のイジェクト動作は、上述したローディング動作の逆順序で行われ、図示省略されたイジェクトレバーが押されると、左右一対の昇降駆動板２４が図３に示す下降位置Ｐ１１から図２に示す上昇位置Ｐ１０まで矢印ｉ方向へスライド駆動される。
すると、ディスクカートリッジ１が図３及び図８に示す下降位置Ｐ５から図２及び図７に示す上昇位置１０まで矢印ｋ方向に上昇された後に、カートリッジホルダー２５内での
ディスクカートリッジ１のロックが解除され、ディスクカートリッジ１がシャッター開閉用アーム３８を開位置Ｐ８から閉位置Ｐ７まで矢印ｏ方向に回転復帰する捩りコイルバネ３５やロック解除スライダー３２をスライド位置Ｐ７から原位置Ｐ６間で矢印ｎ方向にスライド復帰する引張りコイルバネ３５のバネ力によって図２及び図５に示す挿入完了位置から図１及び図４に示す挿入位置まで矢印ｕ方向に押し戻される。そして、この間に、シャッター開閉用アーム３８の係合部４０によってディスクカートリッジ１内のインナーローター２の被係合部９を介して該インナーローター２が図１１に示す開位置Ｐ２から図１０に示す閉位置Ｐ１まで矢印ａ方向に自動的に回転復帰される。
そして、ディスクカートリッジ１の底部開口５が２枚のシャッター７、８等によって自動的に閉塞されるので、この後に、ディスクカートリッジ１をカートリッジホルダー２５外へ矢印ｕ方向へ抜き取る際に、使用者が手の指等を底部開口５内に不用意に挿入して、ディスク２の下面である記録面を汚染したり、損傷する危険がない。
【産業上の利用可能性】
【００２８】
以上、本発明の実施の形態に付き述べたが、本発明は上記した実施の形態に限定されることなく、本発明の技術的思想に基づいて各種の変更が可能である。
例えば、本発明のシャッター開閉用アーム３８は屈曲アームに限定されることなく、直線状のアームであってもよい。
また、上記した実施の形態では、昇降駆動機構３１の左右一対の昇降駆動板２４をダウン用バネとイジェクトレバーとによって矢印ｉ、ｊ方向へ駆動して、カートリッジホルダー２５を上昇位置Ｐ４と下降位置Ｐ５との間で矢印ｋ、ｍ方向に昇降させるように構成したが、左右一対の昇降駆動板２４を駆動用モーターによって矢印ｉ、ｊ方向へ駆動して、カートリッジホルダー２５を上昇位置Ｐ４と下降位置Ｐ５との間で矢印ｋ、ｍ方向に昇降させるように構成することもできる。
【図面の簡単な説明】
【００２９】
【図１】本発明の実施例１を説明するディスクカートリッジとローディング装置の斜    視図であって、カートリッジホルダー内へのディスクカートリッジの挿入途中を示し    た斜視図である。
【図２】図１に続く、カートリッジホルダー内へのディスクカートリッジの挿入完了    を示した斜視図である。
【図３】図２に続く、カートリッジホルダーによってディスクカートリッジの上昇位    置から下降位置への下降を示した斜視図である。
【図４】図１に対応するカートリッジホルダー内へのディスクカートリッジの挿入途    中を示した底面図である。
【図５】図２に対応するカートリッジホルダー内へのディスクカートリッジの挿入完    了を示した底面図である。
【図６】図１及び図４に対応するカートリッジホルダーとその内部に挿入されたディ    スクカートリッジの正面を拡大して示した図面である。
【図７】図２及び図５に対応するカートリッジホルダーとその内部に挿入されたディ    スクカートリッジの正面を拡大して示した図面である。
【図８】図３に対応するカートリッジホルダーの下降位置とディスクカートリッジ内    のディスクをスピンドルモーターのターンテーブル上にチャッキングした様子の正面    を拡大して示した図面である。
【図９】ディスクカートリッジの平面図、正面図、背面図、左右側面図を示した図面    である。
【図１０】ディスクカートリッジの底部開口が閉塞されている様子を示した底面図で    ある。
【図１１】ディスクカートリッジの底面開口が開放されている様子を示した底面図で    ある。
【符号の説明】
【００３０】
１    ディスクカートリッジ
１ａ  ディスクカートリッジの先端
１ｅ  ディスクカートリッジの底部
２    シャッター開閉用回転体であるインナーローター（ローター）
３    ディスク
５    ディスクカートリッジの底面開口
７    シャッター
８    シャッター
９    ローターの被係合部
１０  ロック手段であるロックレバー
１１  回転支点
２１  ローディング装置
２５  カートリッジホルダー
３５  ロック解除用スライダー
３５  スライド付勢手段である引張りコイルバネ
３６  シャッター開閉用アーム
３６ａ  シャッター開閉用アームの先端
３６ｂ  シャッター開閉用アームの屈曲部
３９  回転支点
４０  シャッター開閉用アームの係合部
４１  回転付勢手段である捩りコイルバネ
４３  スピンドルモーター
４４  ターンテーブル
【図１】
2006031834.tif 000003
【図２】
2006031834.tif 000004
【図３】
2006031834.tif 000005
【図４】
2006031834.tif 000006
【図５】
2006031834.tif 000007
【図６】
2006031834.tif 000008
【図７】
2006031834.tif 000009
【図８】
2006031834.tif 000010
【図９】
2006031834.tif 000011
【図１０】
2006031834.tif 000012
【図１１】
2006031834.tif 000013